(57)【要約】      （修正有）【課題】簡単な構造かつ簡易な方法で、物品を確実に安定して固定できる物品固定用台紙、及び物品固定体を提供する。【解決手段】物品固定用台紙１０２には、少なくとも２本（好ましくは４本）の略同じ長さの直線状の切り込み線２が互いに全長さに渡って並行になるように設けられ、複数の切り込み線の間に切り込み線の本数より１本少ない物品固定用帯状部３が形成されている。また、物品固定体は、物品固定用台紙と、隣り合う物品固定用帯状部の一面側と他面側とに交互に挿通されるようにして固定されている物品とを備える。【選択図】図２
0003183974.tif 000002
【実用新案登録請求の範囲】
【請求項１】
物品を固定するための物品固定用台紙であって、
前記物品固定用台紙には、互いに並行になるように少なくとも２本の切り込み線が設けられ、
前記複数の切り込み線の間に形成される前記切り込み線の本数より１本少ない物品固定用帯状部を備えることを特徴とする物品固定用台紙。
【請求項２】
前記切り込み線は少なくとも４本である請求項１に記載の物品固定用台紙。
【請求項３】
前記切り込み線は直線状である請求項１又は２に記載の物品固定用台紙。
【請求項４】
前記切り込み線は、前記物品固定用台紙の前記切り込み線が設けられた方向の両端部を除く中央部に設けられている請求項１乃至３のうちのいずれか１項に記載の物品固定用台紙。
【請求項５】
前記両端部の各々は、前記物品固定用台紙の前記切り込み線が設けられた方向の全長さのうちの５〜２０％の長さである請求項４に記載の物品固定用台紙。
【請求項６】
前記切り込み線は、前記物品固定用台紙の前記切り込み線が設けられた方向と略直行する方向の中央部に設けられている請求項１乃至５のうちのいずれか１項に記載の物品固定用台紙。
【請求項７】
前記切り込み線は、前記物品固定用台紙の前記切り込み線が設けられた方向と略直行する方向に、それぞれが離間して２組又は３組設けられている請求項１乃至５のうちのいずれか１項に記載の物品固定用台紙。
【請求項８】
前記切り込み線は、前記物品固定用台紙の前記切り込み線が設けられた方向に、それぞれが離間して２組又は３組設けられている請求項１乃至６のうちのいずれか１項に記載の物品固定用台紙。
【請求項９】
前記物品固定用帯状部の本数が３〜７本であり、各々の物品固定用帯状部の幅が５〜２５ｍｍである請求項１乃至８のうちのいずれか１項に記載の物品固定用台紙。
【請求項１０】
前記物品固定用台紙の平面形状は略方形であり、
前記切り込み線は、前記物品固定用台紙の対向する一組の辺と略平行に設けられている請求項１乃至９のうちのいずれか１項に記載の物品固定用台紙。
【請求項１１】
前記対向する一組の辺と略平行であるとともに、前記切り込み線と比べて長さが１／２〜１／４の少なくとも２本の短寸法切り込み線が、前記対向する一組の辺の方向に設けられており、前記複数の短寸法切り込み線の間に短寸法帯状部が形成されている請求項１０に記載の物品固定用台紙。
【請求項１２】
前記短寸法帯状部が、前記対向する一組の辺の方向の、いずれか一方の側に片寄った位置に形成されている請求項１１に記載の物品固定用台紙。
【請求項１３】
前記物品の少なくとも一方の端部を係止するための係止部が設けられている請求項１乃至１２のうちのいずれか１項に記載の物品固定用台紙。
【請求項１４】
前記係止部と、長さ方向の寸法の異なる物品の端部を係止するための他の係止部とが設けられている請求項１３に記載の物品固定用台紙。
【請求項１５】
前記係止部は、前記物品固定用台紙に設けられた係止片用切り込み線と、前記係止片用切り込み線の端部間を結ぶ折り曲げ用線とにより形成され、前記折り曲げ用線が、前記切り込み線の方向となるように設けられている請求項１３又は１４に記載の物品固定用台紙。
【請求項１６】
前記係止片用切り込み線は、前記物品の係止されることになる前記端部の方向に凸状の円弧状である請求項１５に記載の物品固定用台紙。
【請求項１７】
前記切り込み線と略直行する方向の端部の、前記切り込み線の方向の中央部に吊り下げ用開口部が設けられている請求項１乃至１６のうちのいずれか１項に記載の物品固定用台紙。
【請求項１８】
前記吊り下げ用開口部の前記切り込み線と略直行する方向の寸法が、指を挿入することができるように拡寸されている請求項１７に記載の物品固定用台紙。
【請求項１９】
前記切り込み線の方向の両端縁部が、前記切り込み線に略直行する方向の全長さに渡って前記物品固定用台紙の一面側に向かって折り曲げられ、折り曲げ部が前記一面側に接合されている請求項１乃至１８のうちのいずれか１項に記載の物品固定用台紙。
【請求項２０】
前記物品が玩具花火である請求項１乃至１９のうちのいずれか１項に記載の物品固定用台紙。
【請求項２１】
請求項１乃至２０のうちのいずれか１項に記載の前記物品固定用帯状部が形成された前記物品固定用台紙と、前記物品固定用帯状部に挿通されるようにして固定されている前記物品とを備えることを特徴とする物品固定体。
【請求項２２】
少なくとも３本の前記物品固定用帯状部が形成された前記物品固定用台紙と、隣り合う物品固定用帯状部の一面側と他面側とに交互に挿通されるようにして固定されている前記物品とを備える請求項２１に記載の物品固定体。
【請求項２３】
隣り合う前記物品のうちの一方が、隣り合う前記物品固定用帯状部の一方の一面側となるように、且つ他方の他面側となるように挿通されるとともに、隣り合う前記物品のうちの他方が、隣り合う前記物品固定用帯状部の一方の他面側となるように、且つ他方の一面側となるように挿通されている請求項２２に記載の物品固定体。
【請求項２４】
前記物品が固定された前記物品固定用台紙が、前記物品固定用台紙と平面形状が略同形状の樹脂製外装袋に収納されている請求項２１乃至２３のうちのいずれか１項に記載の物品固定体。
【請求項２５】
前記物品が玩具花火である請求項２１乃至２４のうちのいずれか１項に記載の物品固定体。
【考案の詳細な説明】
【技術分野】
【０００１】
本考案は、物品固定用台紙及びこの物品固定用台紙と固定された物品とを備える物品固定体に関する。更に詳しくは、本考案は、台紙に複数の切り込み線が設けられ、物品を固定するための帯状部が形成されている物品固定用台紙、及びこの台紙と、切り込み線に挿通され、帯状部により固定された物品とを備える物品固定体に関する。
【背景技術】
【０００２】
従来、玩具花火等は、種類毎に樹脂製の包装袋に収納し、又は特に包装袋に収納することなく、台紙にセロファンテープ等により固定し、これらを樹脂製の外装用袋に収納して展示、販売されるのが一般的である（例えば、特許文献１参照。）。また、玩具花火を内包する複数個の内袋を台紙に離脱可能に仮固定し、これらを外袋に収納してなる玩具用花火包装体も知られている（例えば、特許文献２参照。）。この玩具用花火包装体では、内袋の台紙上への仮固定が、内袋裏面と台紙表面との間に介在する粘着層によりなされている。また、台紙に仮固定された内袋に、粘着層により他の内袋が仮固定されていることも記載されている。
【０００３】
更に、本体部と上側折返し部と下側折返し部とに区画して形成されたシート状部材を用いてなり、本体部には切込み部が形成され、これらの切込み部により形成される帯状部の裏面側に玩具花火を挿通して固定する玩具花火固定用台紙も知られている（例えば、特許文献３参照。）。この玩具花火固定用台紙では、上側折返し部及び下側折返し部を、それぞれ折り返して固定し、玩具花火が上下方向に移動して台紙から脱落するのを防止することができる。
【先行技術文献】
【特許文献】
【０００４】
【特許文献１】実用新案登録第３１０２６５７号公報
【特許文献２】特開２００７−１７０７５５号公報
【特許文献３】実用新案登録第３１５５７０７号公報
【考案の概要】
【考案が解決しようとする課題】
【０００５】
しかし、特許文献１に記載のように、玩具花火をセロファンテープにより台紙に固定する方法では、セロファンテープが必要となり、コスト面で不利である。また、玩具花火を包装袋に収納せずにセロファンテープにより固定したとき、又は包装袋に収納したとしても花火の一部が包装袋から露出しているときに、セロファンテープが花火に直接接着してしまった場合、セロファンテープを剥がす際に、花火のセロファンテープと接着していた箇所が破損してしまうことがある。
【０００６】
また、特許文献２に記載の玩具用花火包装体では、内袋の裏面に粘着剤を塗布するか、又は両面粘着テープを貼着することにより粘着層を形成しなければならず、コスト面で不利である。更に、台紙側の内袋に表面側の内袋を仮固定するときに、台紙側の内袋から花火が露出していると、表面側の内袋の裏面に形成された粘着層が、露出している花火に接着することがあり、表面側の内袋を剥がす際に、花火の粘着層と接着していた箇所が破損してしまうことがある。
【０００７】
また、特許文献３に記載の玩具花火固定用台紙では、セロファンテープ等を必要とせず、粘着層が花火に接着し、剥がすときに花火が破損するという問題はない。更に、花火が、左右方向のみでなく、上下方向にも固定され、台紙からの花火の脱落も防止される。しかし、台紙の構造が相当に複雑であり、花火の形状、寸法等によって、特定の位置に所定寸法の帯状部を形成する必要があり、花火を固定する作業も必ずしも容易であるとは言えない。
【０００８】
本考案は、上述の従来技術の状況に鑑みてなされたものであり、台紙に複数の切り込み線が設けられ、物品を固定するための帯状部が形成されている物品固定用台紙、及びこの台紙と、切り込み線に挿通され、帯状部により固定された物品とを備える物品固定体を提供することを目的とする。
【課題を解決するための手段】
【０００９】
本考案は以下のとおりである。
１．物品を固定するための物品固定用台紙であって、前記物品固定用台紙には、互いに並行になるように少なくとも２本の切り込み線が設けられ、前記複数の切り込み線の間に形成される前記切り込み線の本数より１本少ない物品固定用帯状部を備えることを特徴とする物品固定用台紙。
２．前記切り込み線は少なくとも４本である前記１．に記載の物品固定用台紙。
３．前記切り込み線は直線状である前記１．又は２．に記載の物品固定用台紙。
４．前記切り込み線は、前記物品固定用台紙の前記切り込み線が設けられた方向の両端部を除く中央部に設けられている前記１．乃至３．のうちのいずれか１項に記載の物品固定用台紙。
５．前記両端部の各々は、前記物品固定用台紙の前記切り込み線が設けられた方向の全長さのうちの５〜２０％の長さである前記４．に記載の物品固定用台紙。
６．前記切り込み線は、前記物品固定用台紙の前記切り込み線が設けられた方向と略直行する方向の中央部に設けられている前記１．乃至５．のうちのいずれか１項に記載の物品固定用台紙。
７．前記切り込み線は、前記物品固定用台紙の前記切り込み線が設けられた方向と略直行する方向に、それぞれが離間して２組又は３組設けられている前記１．乃至５．のうちのいずれか１項に記載の物品固定用台紙。
８．前記切り込み線は、前記物品固定用台紙の前記切り込み線が設けられた方向に、それぞれが離間して２組又は３組設けられている前記１．乃至６．のうちのいずれか１項に記載の物品固定用台紙。
９．前記物品固定用帯状部の本数が３〜７本であり、各々の物品固定用帯状部の幅が５〜２５ｍｍである前記１．乃至８．のうちのいずれか１項に記載の物品固定用台紙。
１０．前記物品固定用台紙の平面形状は略方形であり、前記切り込み線は、前記物品固定用台紙の対向する一組の辺と略平行に設けられている前記１．乃至９．のうちのいずれか１項に記載の物品固定用台紙。
１１．前記対向する一組の辺と略平行であるとともに、前記切り込み線と比べて長さが１／２〜１／４の少なくとも２本の短寸法切り込み線が、前記対向する一組の辺の方向に設けられており、前記複数の短寸法切り込み線の間に短寸法帯状部が形成されている前記１０．に記載の物品固定用台紙。
１２．前記短寸法帯状部が、前記対向する一組の辺の方向の、いずれか一方の側に片寄った位置に形成されている前記１１．に記載の物品固定用台紙。
１３．前記物品の少なくとも一方の端部を係止するための係止部が設けられている前記１．乃至１２．のうちのいずれか１項に記載の物品固定用台紙。
１４．前記係止部と、長さ方向の寸法の異なる物品の端部を係止するための他の係止部とが設けられている前記１３．に記載の物品固定用台紙。
１５．前記係止部は、前記物品固定用台紙に設けられた係止片用切り込み線と、前記係止片用切り込み線の端部間を結ぶ折り曲げ用線とにより形成され、前記折り曲げ用線が、前記切り込み線の方向となるように設けられている前記１３．又は１４．に記載の物品固定用台紙。
１６．前記係止片用切り込み線は、前記物品の係止されることになる前記端部の方向に凸状の円弧状である前記１５．に記載の物品固定用台紙。
１７．前記切り込み線と略直行する方向の端部の、前記切り込み線の方向の中央部に吊り下げ用開口部が設けられている前記１．乃至１６．のうちのいずれか１項に記載の物品固定用台紙。
１８．前記吊り下げ用開口部の前記切り込み線と略直行する方向の寸法が、指を挿入することができるように拡寸されている前記１７．に記載の物品固定用台紙。
１９．前記切り込み線の方向の両端縁部が、前記切り込み線に略直行する方向の全長さに渡って前記物品固定用台紙の一面側に向かって折り曲げられ、折り曲げ部が前記一面側に接合されている前記１．乃至１８．のうちのいずれか１項に記載の物品固定用台紙。
２０．前記物品が玩具花火である前記１．乃至１９．のうちのいずれか１項に記載の物品固定用台紙。
２１．前記１．乃至２０．のうちのいずれか１項に記載の前記物品固定用帯状部が形成された前記物品固定用台紙と、前記物品固定用帯状部に挿通されるようにして固定されている前記物品とを備えることを特徴とする物品固定体。
２２．少なくとも３本の前記物品固定用帯状部が形成された前記物品固定用台紙と、隣り合う前記物品固定用帯状部の一面側と他面側とに交互に挿通されるようにして固定されている前記物品とを備える前記２１．に記載の物品固定体。
２３．隣り合う前記物品のうちの一方が、隣り合う前記物品固定用帯状部の一方の一面側となるように、且つ他方の他面側となるように挿通されるとともに、隣り合う前記物品のうちの他方が、隣り合う前記物品固定用帯状部の一方の他面側となるように、且つ他方の一面側となるように挿通されている前記２２．に記載の物品固定体。
２４．前記物品が固定された前記物品固定用台紙が、前記物品固定用台紙と平面形状が略同形状の樹脂製外装袋に収納されている前記２１．乃至２３．のうちのいずれか１項に記載の物品固定体。
２５．前記物品が玩具花火である前記２１．乃至２４．のうちのいずれか１項に記載の物品固定体。
【考案の効果】
【００１０】
本考案の物品固定用台紙によれば、玩具花火等の物品を、帯状部に挿通させるという簡易な操作によって容易に固定することができ、台紙に切り込み線を設けるのみの簡単な構造であり、コスト面でも極めて有利である。
また、切り込み線が少なくとも４本である場合は、少なくとも３本の物品固定用帯状部が形成され、物品を複数の帯状部の表裏に交互に挿通させるという簡易な操作によって容易に固定することができ、特に幅方向の寸法及び厚さの異なる複数の物品を、順序、位置等を特定することなく、固定することができる。
更に、切り込み線が直線状である場合は、物品を固定する操作がより容易である。
また、切り込み線が、物品固定用台紙の切り込み線が設けられた方向の両端部を除く中央部に設けられている場合は、台紙の幅方向の多くの部分を物品の固定に利用することができる。
更に、両端部の各々が、物品固定用台紙の切り込み線が設けられた方向の全長さのうちの５〜２０％の長さである場合は、台紙の幅方向の多くの部分を物品の固定に利用することができるとともに、両端部の幅が狭くなり過ぎて台紙が破損してしまうこともない。
また、切り込み線が、物品固定用台紙の切り込み線が設けられた方向と略直行する方向の中央部に設けられている場合は、物品の長さ方向の寸法に拘わらず、略中央部を固定することができ、物品をより安定して固定することができる。
更に、切り込み線が、物品固定用台紙の切り込み線が設けられた方向と略直行する方向に、それぞれが離間して２組又は３組設けられている場合は、特に長尺の物品を全長さに渡って安定して固定することができるとともに、多くの種類の短寸法の物品を各々の切り込み線により形成される帯状部にそれぞれ固定することもできる。
また、切り込み線が、物品固定用台紙の切り込み線が設けられた方向に、それぞれが離間して２組又は３組設けられている場合は、種類の異なる物品を各々の切り込み線により形成される帯状部にそれぞれ固定することができ、各々の切り込み線が短いこともあって、より強度が大きく、変形し難い物品固定用台紙とすることができる。
更に、物品固定用帯状部の本数が３〜７本であり、各々の物品固定用帯状部の幅が５〜２５ｍｍである場合は、物品の長さ方向の寸法等によって、挿通させる物品固定用帯状部の本数を設定することができ、長寸法の物品も短寸法の物品も安定して固定することができる。
また、物品固定用台紙の平面形状は略方形であり、切り込み線が、物品固定用台紙の対向する一組の辺と略平行に設けられている場合は、玩具花火等の比較的長尺な物品であるときに、台紙の略全面を物品の固定に利用することができ、より多くの玩具花火等を安定して固定することができる。
更に、対向する一組の辺と略平行であるとともに、切り込み線と比べて長さが１／２〜１／４の少なくとも２本の短寸法切り込み線が、対向する一組の辺の方向に設けられており、複数の短寸法切り込み線の間に短寸法帯状部が形成されている場合は、この部分を専らゲーム用カード等の長さ方向の寸法が小さい物品の固定に用いることができ、物品の種類の相違をより明確にすることもでき、物品を固定したときに視覚的にも良好なものとすることができる。
また、短寸法帯状部が、対向する一組の辺の方向の、いずれか一方の側に片寄った位置に形成されている場合は、物品を固定したときに視覚的により良好なものとすることができる。
更に、物品の少なくとも一方の端部を係止するための係止部が設けられている場合は、吊り下げて展示されることも多い物品固定用台紙では、特に長さ方向の寸法が大きい物品を固定したときに、物品が下方に移動したり脱落してしまうのを防止することができ、両端部を係止するようにすれば、物品をより安定して固定することができる。
また、前記の係止部と、長さ方向の寸法の異なる物品の端部を固定するための他の係止部とが設けられている場合は、長さの異なる物品の各々の端部を係止することができ、物品の長さに拘わらず、物品の移動、脱落を防止することができる。
更に、係止部は、物品固定用台紙に設けられた係止片用切り込み線と、係止片用切り込み線の端部間を結ぶ折り曲げ用線とにより形成され、折り曲げ用線が、切り込み線の方向となるように設けられている場合は、折り曲げ用線に沿って折り曲げ、係止部を斜め方向に開口させることができ、この開口部に物品の端部を係止させることで物品の脱落を確実に防止することができる。
また、係止片用切り込み線が、物品の係止されることになる端部の方向に凸状の円弧状である場合は、視覚的に良好なものとなるとともに、物品の脱落を十分に防止することができる。
更に、切り込み線と略直行する方向の端部の中央部に吊り下げ用開口部が設けられている場合は、物品が固定された台紙をフック等に吊り下げて展示し、販売することができる。
また、吊り下げ用開口部の切り込み線と略直行する方向の寸法が、指を挿入することができるように拡寸されている場合は、購入者が開口部に指を入れて持ち帰ることができ、誤って落としてしまうことがない。
更に、切り込み線の方向の両端縁部が、切り込み線に略直行する方向の全長さに渡って物品固定用台紙の一面側に向かって折り曲げられ、折り曲げ部が一面側に接合されている場合は、物品が固定される方向の台紙の強度が向上し、台紙が容易に折れ曲がったり、破損したりすることがない。
また、物品が玩具花火である場合は、この種の台紙に固定され、吊り下げられて展示、販売されることの多い商品であり、本考案の台紙が特に有用である。
【００１１】
本考案の物品固定体によれば、物品を切り込み線に挿通させるという簡易な方法で固定することができるため、物品の台紙への固定が容易である。
また、少なくとも３本の物品固定用帯状部が形成された物品固定用台紙と、隣り合う物品固定用帯状部の一面側と他面側とに交互に挿通されるようにして固定されている物品とを備える場合は、物品を切り込み線に挿通させるという簡易な方法で固定することができ、物品の台紙への固定が容易であるとともに、物品を台紙により確実に固定することができる。
更に、隣り合う物品のうちの一方が、隣り合う物品固定用帯状部の一方の一面側となるように、且つ他方の他面側となるように挿通されるとともに、隣り合う物品のうちの他方が、隣り合う物品固定用帯状部の一方の他面側となるように、且つ他方の一面側となるように挿通されている場合は、それぞれの物品が、両側から物品固定用帯状部によって押圧され、より十分に安定して固定することができる。
また、物品が固定された物品固定用台紙が、物品固定用台紙と平面形状が略同形状の樹脂製外装袋に収納されている場合は、他物品との接触、擦れ等によって固定された物品が移動したり、傷付いたりすることが防止されるとともに、展示、販売される商品としての外観も向上する。
更に、物品が玩具花火である場合は、この種の台紙に固定されて展示、販売されることが多い商品であるため、より有用である。
【図面の簡単な説明】
【００１２】
【図１】長方形の台紙の短辺方向に１本の直線状の物品固定用帯状部が形成された物品固定用台紙の平面図である。
【図２】長方形の台紙の短辺方向に４本の直線状の物品固定用帯状部が形成された物品固定用台紙の平面図である。
【図３】長方形の台紙の短辺方向に４本の少し湾曲した物品固定用帯状部が形成された物品固定用台紙の平面図である。
【図４】長方形の台紙の長辺方向に４本の直線状の物品固定用帯状部が形成された物品固定用台紙の平面図である。
【図５】長方形の台紙の短辺方向に形成された直線状の４本の物品固定用帯状部が、長辺方向に２組設けられた物品固定用台紙の平面図である。
【図６】長方形の台紙の短辺方向に形成された直線状の４本の物品固定用帯状部が、短辺方向に２組設けられた物品固定用台紙の平面図である。
【図７】長方形の台紙の短辺方向に１本の幅広帯状部及び２本の幅狭帯状部が形成された物品固定用台紙の平面図である。
【図８】図２の物品固定用帯状部と離間して同方向に３本の短寸法帯状部が形成されている物品固定用台紙の平面図である。
【図９】図２の物品固定用帯状部に隣接して同方向に４本の短寸法帯状部が形成されている物品固定用台紙の平面図である。
【図１０】物品固定用帯状部と隣接して同方向に３本の短寸法帯状部が形成されており、平面形状が円形の物品固定用台紙の平面図である。
【図１１】図２の物品固定用台紙の物品固定用帯状部に４種類の玩具花火が固定された物品固定体の平面図である。
【図１２】図１１の物品固定体の斜視図である。
【図１３】図８の物品固定用台紙の物品固定用帯状部に４種類の玩具花火が固定され、且つ短寸法帯状部にゲーム用カードが固定されている物品固定体の平面図である。
【図１４】図１３の物品固定体の斜視図である。
【図１５】図９の物品固定用台紙の物品固定用帯状部に４種類の玩具花火が固定され、且つ短寸法帯状部にゲーム用カードが固定されている物品固定体の平面図である。
【図１６】図１５の物品固定体の斜視図である。
【図１７】図２の物品固定用台紙の長辺方向の下端部側に、固定される物品の端部を係止するための係止部が設けられた物品固定用台紙の平面図である。
【図１８】図２の物品固定用台紙の長辺方向の両端部側に、固定される物品の端部を係止するための係止部が設けられた物品固定用台紙の平面図である。
【図１９】図１８の係止部の他に、長さ方向の寸法の異なる物品の端部を係止するための他の係止部が設けられた物品固定用台紙の平面図である。
【図２０】図１７の物品固定用台紙の物品固定用帯状部に４種類の玩具花火が固定され、各々の玩具花火の下端部が係止部に係止されている物品固定体の平面図である。
【図２１】図２０の物品固定体の斜視図である。
【図２２】図１８の物品固定用台紙の物品固定用帯状部に４種類の玩具花火が固定され、各々の玩具花火の両端部が係止部に係止されている物品固定体の平面図である。
【図２３】図２２の物品固定体の斜視図である。
【図２４】図１９の物品固定用台紙の物品固定用帯状部に長さ方向の寸法の異なる玩具花火が固定され、各々の玩具花火の両端部が係止部に係止されている物品固定体の平面図である。
【図２５】図２４の物品固定体の斜視図である。
【図２６】図１の物品固定用台紙の物品固定用帯状部に４種類の玩具花火が固定され、長さ方向の一端側に吊り下げ用開口部が設けられ、各々の玩具花火の両端部が係止部に係止されている物品固定体の平面図である。
【図２７】図４の物品固定用台紙に４種類の花火を固定し、長さ方向の一端側に吊り下げ用開口部が設けられ、花火が横方向に並べられて展示、販売されるようにした物品固定体の平面図である。
【図２８】図１０の平面形状が円形の物品固定用台紙の物品固定用帯状部に４種類の玩具花火が固定され、且つ短寸法帯状部にゲーム用カードが固定され、下端部側に係止部が設けられるとともに、一端側に吊り下げ用開口部が設けられている物品固定体の平面図である。
【図２９】物品固定用台紙の切り込み線と略直行する方向の端部の中央部に吊り下げ用開口部が設けられている物品固定用台紙（物品固定体）の平面図である。
【図３０】図２９の吊り下げ用開口部の切り込み線と略直行する方向の寸法が、指を挿入することができるように拡寸されている物品固定用台紙（物品固定体）の平面図である。
【図３１】切り込み線と略直行する方向の両端縁が全長さに渡って折り曲げられ、接合されている物品固定用台紙（物品固定体）の斜視図である。
【図３２】図２９の物品固定体が透明な樹脂製外装袋に収納された様子を表す平面図である。
【考案を実施するための形態】
【００１３】
［１］物品固定用台紙
本考案の物品固定用台紙（例えば、図１〜１０の物品固定用台紙１０１〜１１０参照）は、物品を固定するための物品固定用台紙１０１、１０２等であって、少なくとも２本の切り込み線２が互いに並行になるように設けられている。これにより、切り込み線２の間に切り込み線２の本数より１本少ない物品固定用帯状部３が形成されることになる。
【００１４】
また、切り込み線２は少なくとも４本であり、３本以上の物品固定用帯状部３が形成されることが好ましい。更に、切り込み線２は互いに並行に設けられておればよく、各々の切り込み線２は直線状でもよく（図１、２等参照）、湾曲していてもよい（図３参照）が、直線状であることが好ましい。また、切り込み線２は、直線状であり、且つそれぞれが平行であることがより好ましい（図１、２、４等参照）。このような切り込み線２であれば、切り込み線２の作製が容易であるとともに、物品の固定も容易である。
【００１５】
物品固定用台紙１０１、１０２等は物品を固定するための強度が必要であるため、台紙１としては、通常、段ボールシート又は白板紙等の板紙が用いられる。また、染料により着色された板紙を用いることもできる。更に、これらの物品固定用台紙１０１、１０２等は、全面が台紙１の色調のままでもよいが、通常、物品の多くの部分が表出する側、即ち、表面側の全面、又は適宜の位置に物品の種類等に相応しい図柄が施されており、適宜の位置に説明文が記載されている。また、裏面側にも説明文が記載され、図柄が施されていることも多い。
【００１６】
切り込み線２は、物品固定用台紙１０１、１０２等の切り込み線２が設けられた方向の両端部を除く中央部に設けられている（図１〜１０参照）。切り込み線２が設けられない両端部の各々の寸法は特に限定されないが、切り込み線２が設けられた方向の全長さのうちの５〜２０％、特に１０〜２０％であることが好ましい（図１０のように平面形状が円形等であり、略方形でないときの両端部の各々の寸法は、切り込み線２が設けられていない端部の最大寸法であるとする。）。両端部の寸法割合が５〜２０％、特に１０〜２０％であれば、より多くの物品を固定することができるとともに、両端部の幅が小さくなり過ぎ、台紙１の特に端縁部が破損してしまうこともない。
【００１７】
また、切り込み線２が設けられる方向、即ち、物品固定用帯状部３が設けられる方向は、台紙１の短寸法方向であってもよく、長寸法方向であってもよい。切り込み線２が設けられる方向、即ち、物品固定用帯状部３が設けられる方向が、台紙１の短寸法方向であるときは、より長寸法の物品を固定することができる（図１、２の物品固定用台紙１０１、１０２参照）。一方、切り込み線２が設けられる方向、即ち、物品固定用帯状部３が設けられる方向が、台紙１の長寸法方向であるときは、上述の場合のように長寸法の物品を固定することはできないかもしれないが、より多くの種類の物品を固定することができる（図４の物品固定用台紙１０４参照）。
【００１８】
更に、切り込み線２は、少なくとも、物品固定用台紙１０１、１０２等の切り込み線２が設けられた方向と略直行する方向の中央部に設けられることが好ましい。即ち、物品固定用帯状部３は、物品固定用台紙１０１、１０２等の切り込み線２が設けられた方向と略直行する方向の中央部に形成される（図１の物品固定用台紙１０１、図２の物品固定用台紙１０２、図３の物品固定用台紙１０３、図４の物品固定用台紙１０４参照）。これにより、特に長尺の物品である場合、物品の長さ方向の中央部を固定することができ、物品をより安定して固定することができる。
【００１９】
物品固定用帯状部３は、物品固定用台紙１０１、１０２等の切り込み線２が設けられた方向と略直行する方向の中央部に１組形成されておればよいが、２組又は３組形成することもできる。例えば、切り込み線２を、台紙１の切り込み線２が設けられた方向と略直行する方向に、それぞれを離間させて２組又は３組設けることで、２組又は３組の物品固定用帯状部３を形成することができる（２組の物品固定用帯状部３が形成された図５の物品固定用台紙１０５参照）。
【００２０】
また、切り込み線２を、台紙１の切り込み線２が設けられた方向に、それぞれを離間させて２組又は３組設けることで、２組又は３組の物品固定用帯状部３を形成することもできる（２組の物品固定用帯状部３が形成された図６の物品固定用台紙１０６参照）。これらは、台紙１の大きさ、切り込み線２が設けられる方向の台紙１の寸法等により、適宜の形態とすることができる。
【００２１】
１組の物品固定用帯状部３を形成するための切り込み線２の本数は少なくとも２本である。これにより、切り込み線２の本数より１本少ない、即ち、少なくとも１本の物品固定用帯状部３が形成される（図１の物品固定用台紙１０１参照）。１組の物品固定用帯状部３を形成するための切り込み線２の本数は少なくとも４本であることが好ましく（切り込み線２が５本設けられた、即ち、４本の物品固定用帯状部３が形成された図２の物品固定用台紙１０２、図３の物品固定用台紙１０３、図４の物品固定用台紙１０４参照）、４〜１０本、特に４〜８本、更に４〜６本であることがより好ましい。これにより、３〜９本の物品固定用帯状部３を形成することができ、３〜７本、特に３〜５本の物品固定用帯状部３が形成されることになり、各種の形状、寸法の物品をより容易に台紙１に固定することができる。
【００２２】
また、各々の物品固定用帯状部３の切り込み線２と略直行する方向の幅は全てが同じであってもよく（図１〜６の物品固定用台紙１０１〜１０６参照）、幅の異なる物品固定用帯状部３ａが混在していてもよい（図７の物品固定用台紙１０７参照、この物品固定用台紙１０７では、切り込み線２は４本であり、２本の同幅の幅狭の物品固定用帯状部３と、これらの間に形成された１本の幅広の物品固定用帯状部３ａとが形成されている。）。更に、物品固定用帯状部３の幅は、図７のように、一部は同じで、他は異なっていてもよく、全ての物品固定用帯状部３の幅が異なっていてもよい。この物品固定用帯状部３の幅は、固定される物品の種類、形状、寸法等によって適宜設定することができる。
【００２３】
１組の物品固定用帯状部３を形成するための切り込み線２の本数は偶数でも奇数でもよい。切り込み線２の本数が偶数であれば、物品固定用帯状部３の本数は奇数となり、切り込み線２の本数が奇数であれば、物品固定用帯状部３の本数は偶数となる。物品は、物品固定用帯状部３が１本（図１参照）であるときは、物品の一端側と他端側とがともに台紙１の表面側（展示、販売時に物品が視認され、どのような物品であるかが確認される側）となる一方の面に表出するように固定される（図２６の物品固定体２０７参照）。
【００２４】
一方、物品固定用帯状部３が２本以上（切り込み線２は３本である。）、特に３本以上であるときは、隣り合う物品を、隣り合う物品固定用帯状部３の一面側と他面側とに交互に挿通させ、物品の一端側と他端側とがともに台紙１の一方の面に表出するように固定することが好ましい。そして、この一方の面を表面として用いることで、物品の略全体を表面側から視認することができ、物品がどのようなものであるかを容易に確認することができる。また、このようにすれば、より優れた外観を有する物品固定体（図１１、１２の物品固定体２０１等参照）とすることができる。
【００２５】
物品固定用台紙１０１、１０２等の平面形状は、特に限定されず、物品の形状、寸法等により設定することができる。例えば、略方形（図１〜９の物品固定用台紙１０１〜１０９参照）、円形（図１０の物品固定用台紙１１０参照）、楕円形、台形、陸上競技用のトラック形状、開口部の上部が波打っている金魚鉢の縦方向断面の形状等の種々の形状とすることができる。これらのうちでは略方形の物品固定用台紙１０１、１０２等であることが多い。また、この略方形とは、長方形、正方形の他、長方形、正方形の各々の辺が、角部等において全長さ（切り欠かれていないときの全長さ）のうちの合計で２５％以下、特に２０％以下の長さが直線状に又は弧状に切り欠かれた形状であることを意味する（図２９、３０等参照、これらの物品固定用台紙では、両長辺の一端側が斜め直線状に切り欠かれている。）。
【００２６】
物品固定用台紙１０１、１０２等の形状が略方形である場合、略長方形であることが多い。また、この場合、これまで図を用いて詳述したように、物品固定用台紙１０１、１０２等には、対向する一組の辺と略平行に切り込み線２が設けられ、切り込み線２の本数より１本少ない物品固定用帯状部３が形成される。このように、物品固定用台紙１０１、１０２等の形状が略方形であるとき、材質、着色、図柄、説明文については、前述の記載をそのまま適用することができる。また、切り込み線２が設けられない両端部の全長さに対する割合、及び切り込み線２が設けられる位置、即ち、物品固定用帯状部３が形成される位置、並びに２組又は３組の物品固定用帯状部３が形成されてもよいことについても、前述の記載をそのまま適用することができる。更に、切り込み線２の本数、形成される物品固定用帯状部３の本数、それぞれの幅、偶数であるか奇数であるかについても、前述の記載をそのまま適用することができる。
【００２７】
物品固定用台紙１０１、１０２等には、上述の物品固定用帯状部３の他、この物品固定用帯状部３と比べて寸法の小さい短寸法帯状部５１、５２を形成することもできる（図８〜１０の物品固定用台紙１０８〜１１０参照）。この短寸法帯状部５１、５２は、台紙１に、切り込み線２と比べて寸法が小さい短寸法切り込み線４１、４２を設けることにより形成することができる。短寸法切り込み線４１、４２の寸法は特に限定されないが、切り込み線２と比べて１／２〜１／４、特に１／３〜１／４の長さとすることが好ましい。これにより、物品固定用帯状部３と比べて所定の寸法比の短寸法帯状部５１、５２を形成することができる。
【００２８】
短寸法帯状部５１、５２を形成する位置は特に限定されず、物品固定用帯状部３と離間させて形成してもよく（図８、１０の短寸法帯状部５１参照）、切り込み線２の長さ方向の一部を利用して、この部分と短寸法切り込み線４２との間に形成してもよい（図９の短寸法帯状部５２参照）。また、短寸法帯状部５１、５２の方向も特に限定されず、物品固定用帯状部３と同様に対向する一組の辺の方向に形成してもよい。更に、物品固定用帯状部３と離間させて形成する場合は、物品固定用帯状部３と略直角方向に形成してもよく、所定の角度で斜め方向に形成してもよい。このように、短寸法帯状部５１、５２、特に短寸法帯状部５２の形成方向は特に限定されないが、物品の固定のし易さ及び台紙１に物品を固定した全体の外観の観点では、物品固定用帯状部３と同方向に形成することが好ましい（図８〜１０参照）。
【００２９】
上述のように、短寸法帯状部５１、５２を物品固定用帯状部３と同方向に形成する場合、例えば、台紙１の対向する一組の辺と略平行である少なくとも２本の短寸法切り込み線４１を、対向する一組の辺の方向に切り込み線２と離間させて設けることによって形成することができる。この場合、短寸法切り込み線４１の本数より１本少ない短寸法帯状部５１が形成される（図８、１０参照、図８の物品固定用台紙１０８及び図１０の物品固定用台紙１１０では短寸法切り込み線４１は４本であり、短寸法帯状部５１は３本である。）。
【００３０】
また、短寸法帯状部５２は、対向する一組の辺と略平行である少なくとも２本の短寸法切り込み線４２を、対向する一組の辺の方向に切り込み線３に隣接して設けることで形成することができる。このようにすれば、上述のように、短寸法切り込み線４２に隣接する切り込み線３の一部を短寸法切り込み線４２として利用することができ、短寸法切り込み線４２の本数と同数の短寸法帯状部５２を形成することができる（図９参照、図９の物品固定用台紙１０９では、短寸法切り込み線４２は４本であり、短寸法帯状部５２も４本である。）。
【００３１】
短寸法帯状部５１、５２は、対向する一組の辺の方向の、いずれか一方の側に片寄った位置に形成されていてもよく（図８〜１０参照）、中央部に形成されていてもよい。短寸法帯状部５１、５２を形成する位置は、物品固定用帯状部３及び短寸法帯状部５１、５２に固定される物品の種類、形状、寸法等によって設定すればよい。この短寸法帯状部５１、５２を形成する位置は、例えば、物品固定用帯状部３に玩具花火６、短寸法帯状部５１、５２に少なくとも１種類のゲーム用カード７を固定するような場合、物品固定体全体の外観の観点では、対向する一組の辺の方向の中央部に形成されるよりも、いずれか一方の側に片寄った位置に形成されることが好ましい（図８〜１０の物品固定用台紙１０８〜１１０、図１３〜１６の物品固定体２０２、２０３、及び図２８の物品固定体２０９参照）。
【００３２】
物品固定用台紙１０１、１０２等には、物品の少なくとも一方の端部を係止するための係止部８１等が設けられていることが好ましい（図１７、１８参照、図１７の物品固定用台紙１１１では、一方の端部を係止するための係止部８１が設けられている。また、図１８の物品固定用台紙１１２では、一方の端部を係止するための係止部８１の他、他方の端部を係止するための係止部８２が併せて設けられている。）。
【００３３】
物品は、物品固定用帯状部３に挿通して固定したのみでは、特に物品固定体２０１等を縦方向に置いて展示、販売するときに、物品が下方に移動してしまうことがある。また、物品固定体２０１等をフックなどに吊り下げて展示、販売するときには、物品が物品固定用帯状部３から脱落してしまうこともある。このような物品の移動、脱落は、台紙１の下端側となる一端側に係止部８１を設けるのみで防止することができる（４種類の玩具花火６の一端部が係止された物品固定体２０４に係る図２０、２１参照）。
尚、物品固定体２０１等が平面方向に、例えば、積み重ねられて展示、販売されるときは、係止部８１等は必ずしも設ける必要はないが、物品の移動等を抑えるためには、係止部８１等を設けることが好ましい。
【００３４】
また、上述のように、物品固定体２０１等を、特に吊り下げて展示、販売するときに、物品の下方への移動、脱落を防止するためには、台紙１の一端側に係止部８１を設けるのみでよいが、物品の両端部を係止するため、係止部８１の他、台紙１の他端側に係止部８２を設けることもできる（図１８の物品固定用台紙１１２参照）。これにより、物品の両端部が係止され、物品を物品固定用帯状部３と係止部８１、８２とによって、台紙１により確実に固定することができる（４種類の玩具花火６の両端部が係止された物品固定体２０５に係る図２２、２３参照）。
【００３５】
更に、台紙１に長さ方向の寸法の異なる物品の端部を係止するため、物品が固定される方向に、係止部８１、８２の他、更に他の係止部８３を設けることもできる（図１９の物品固定用台紙１１３参照）。このように、それぞれの物品の長さ方向の寸法により、所定の位置に係止部８１、８２、８３を設けることで、物品の寸法によらず、各種の寸法の物品の端部を係止し、より安定して固定することができる（寸法の異なる玩具花火６の両端部が係止された物品固定体２０６に係る図２４、２５参照）。尚、係止部８１、８２、８３を設けた場合、これらの全てを物品の係止に用いる必要はなく、物品の長さ方向の寸法等により、一部の係止部８１、８２、８３を使用し、他は用いない形態であってもよい。
【００３６】
係止部８１、８２、８３は、例えば、係止部８１では、台紙１に設けられた係止片用切り込み線８１ａと、係止片用切り込み線８１ａの端部間を結ぶ折り曲げ用線８１ｂとにより形成され、折り曲げ用線８１ｂが、切り込み線２の方向となるように設けられていることが好ましい。そして、係止片用切り込み線８１ａの端部間を結ぶ折り曲げ用線８１ｂを軸線として係止片用切り込み線８１ａにより形成される切り込み部８１ｃを台紙１の一面側（物品が固定される表面側）の斜め方向に引き出すことで、係止部８１とすることができる。係止片用切り込み線８１ａの形状は特に限定されず、物品の係止される端部の方向に凸状の円弧状、三角形状、四角形状等とすることができ、物品の係止される端部の方向に凸状の円弧状（図１７等参照）であることが好ましい。
尚、図１８、１９の係止部８２、及び図１９の係止部８３も係止部８１と同様の構成とすることができる。
【００３７】
台紙１には、切り込み線２と略直行する方向の端部の中央部に吊り下げ用開口部９が設けられていることが好ましい（図２９等参照）。物品が、例えば、玩具花火６等である場合、物品固定体２０１等はフックなどに吊り下げられて展示、販売されることが多い。この場合、吊り下げ用開口部９が設けられておれば、多くの物品固定体２０１等を吊り下げて展示し、販売することができ、物品固定体２０１等が互いにぶつかり合ったり、擦れ合ったりして物品が移動したり、損傷したりすることを抑えることもできる。
【００３８】
吊り下げ用開口部９は、物品固定体２０１等をフックなどに吊り下げることができればよく、その形状、寸法等は特に限定されない。形状は幅広の壁掛けフックに吊り下げることができるように、例えば、両端部が円弧状の横長の形状等であることが好ましい。また、特に横長の形状であって、且つ中央部の上部となる側に半円状の切り込み部（図２９の半円状の切り込み部９ａ参照）が形成された形状（図２９の吊り下げ用開口部９等参照）であることが特に好ましい。このような形状の吊り下げ用開口部９であれば、幅広の壁掛けフック、及び断面円形の棒状のフックのいずれであっても、容易に吊り下げ、展示、販売することができる。
【００３９】
また、吊り下げ用開口部９は、切り込み線２と略直行する方向の寸法が、物品固定体２０１等を壁掛けフックなどに吊り下げることができる寸法であればよいが、この吊り下げられる方向の寸法が、指を差し入れることができるように拡寸されていることが好ましい（図３０の吊り下げ用開口部９１参照）。このように拡寸された幅広の吊り下げ用開口部９１であれば、物品固定体２０１等を購入した客が吊り下げ用開口部９１に指を差し入れて持ち運ぶことができ、物品固定体２０１等を誤って落としてしまうことがないため好ましい。
【００４０】
物品固定用台紙２０１等は、前述のように、通常、強度の大きい紙を用いて形成されるが、特に物品が固定される方向に台紙１が湾曲した場合、玩具花火６等の物品が折損する虞がある。そのため、切り込み線２の方向の両端縁部が、切り込み線２に略直行する方向、即ち、物品が固定される方向の全長さに渡って台紙１の一面側（物品が固定される側とは反対側、裏面側といってもよい。）に向かって折り曲げられ、折り曲げ部が一面側に接合されていることが好ましい（図３１の折り曲げ部１ａ参照）。このように加工することにより、台紙１が、物品が固定される方向の全長さに渡って強化される。両端縁部の寸法は特に限定されないが、切り込み線２の方向の全長さのうちの５〜１０％の長さであることが好ましい。これにより、台紙１の湾曲による物品の破損等が十分に防止される。
【００４１】
［２］物品固定体
本考案の物品固定体（例えば、図１１〜１６の物品固定体２０１〜２０３及び図２０〜２５の物品固定体２０４〜２０６、図２６の物品固定体２０７、図２７の物品固定体２０８及び図２８の物品固定体２０９参照）は、物品固定用帯状部３が形成された本考案の物品固定用台紙１０１、１０２等と、物品固定用帯状部３に挿通されるようにして固定されている物品とを備える。
【００４２】
固定される物品は特に限定されないが、物品固定用台紙１０１、１０２等は台紙１からなるため、通常、重量物の固定には用いられない。物品としては、例えば、図示されている玩具花火６、ゲーム用カード７の他、シャボン玉セット、竹とんぼ、樹脂製の光るブレスレット、キャラクターメガネ等が挙げられる。このように、本考案の物品固定用台紙１０１、１０２等に固定される物品は、スーパーマーケット、縁日等で子供向けに販売されている玩具類などであることが多い。
【００４３】
また、物品固定用台紙１０１、１０２等に設けられる切り込み線２は少なくとも２本であり、３本であってもよいが、４本以上であることが好ましい。切り込み線２が２本であれば、１本の物品固定用帯状部３が形成され、切り込み線２が３本であれば、２本の物品固定用帯状部３が形成され、切り込み線２が少なくとも４本であれば、３本以上の物品固定用帯状部が形成される。
【００４４】
物品固定用帯状部３が１本であるときは、物品は、物品固定用帯状部３の他面側（裏面側）に挿通され、固定される。従って、物品を確実に固定することができないことがある。そのため、通常、物品の両端部が係止部８１、８２により係止される（図２６の物品固定体２０７参照）。一方、物品固定用帯状部３が２本以上、特に３本以上であれば、物品は、隣り合う物品固定用帯状部３の一面側と他面側とに交互に挿通されるようにして固定することができ、物品固定用帯状部３が１本のときと比べて、より確実に固定される。
これらの本考案の物品固定体２０１等に用いられる物品固定用台紙１０１、１０２等については、前記［１］の物品固定用台紙１０１、１０２等に係る記載をそのまま適用することができる。
【００４５】
物品固定用帯状部３が２本以上、特に３本以上である場合、上述のように、物品は、隣り合う物品固定用帯状部３の一面側と他面側とに交互に挿通されるようにして固定されている。より好ましくは、隣り合う物品のうちの一方が、隣り合う物品固定用帯状部３の一方の一面側となるように、且つ他方の他面側となるように挿通されるとともに、隣り合う物品のうちの他方が、隣り合う物品固定用帯状部３の一方の他面側となるように、且つ他方の一面側となるように挿通されて固定される。このようにして固定することにより、それぞれの物品が、両側から物品固定用帯状部３により押圧され、十分に安定して固定される。
【００４６】
物品固定体２０１等に用いられる物品固定用台紙１０１、１０２等の平面形状は略方形であることが多く、物品は、その長さ方向が上下方向となるように固定され、吊り下げられて展示、販売されることが多い。一方、物品は、その幅方向が上下方向となるように固定され、吊り下げられて展示、販売されることもある（図２７の物品固定体２０８参照）。このようにして展示、販売されることは多くはないかもしれないが、物品の種類等によっては、客に斬新な印象を与えることができる。
【００４７】
また、図２７の物品固定体２０８では、物品（玩具花火６）の両端部が係止部８１、８２、８３により係止され、固定されているが、この形態では、通常、物品が短寸であり、且つ物品が吊り下げ方向と略直行する方向に固定されるため、端部の係止は必ずしも必要ではない。更に、図２８の物品固定体２０９のように、台紙１の平面形状が円形であるときも、略方形であるときと同様に物品を固定することができ、この場合、略方形のときとは異なった印象を与えることができる。また、上述のような物品固定体２０８、２０９では、物品の種類等によっては物品固定体全体としての商品価値を高めることもできる。
【００４８】
また、物品固定体２０１等は、上述のようにして固定された物品のうちの一部が物品固定用帯状部３により遮蔽され、視認されず、且つ物品の多くの部分が表出して視認される側が表面となり、物品の多くの部分が台紙１により遮蔽され、視認されない側が裏面となる。そして、表面側が客に視認されるようにして、吊り下げられ、又は積み重ねられて商品として展示され、販売される。
【００４９】
更に、物品固定体２０１等は、例えば、物品が玩具花火６等である場合、特に個包装されていないときは、他物品との接触、擦れ等によって傷付くことがある。そのため、通常、台紙１と平面形状が略同形状の樹脂製外装袋１０に収納されていることが多い（図３２参照）。また、樹脂製外装袋１０は、台紙１と平面形状が略同形状であるとともに、寸法は物品固定体２０１等を収納できる限り、物品固定体２０１等に近似の寸法であることが好ましい。即ち、樹脂製外装袋１０は、袋中で物品固定体２０１等が揺れ動くほど必要以上に大寸法であることは好ましくない。
【００５０】
樹脂製外装袋１０の材質は特に限定されず、ポリオレフィン、ポリエステル等の各種の汎用の合成樹脂からなる包装用袋を用いることができる。また、樹脂製外装袋１０は透明性に優れていることが好ましい。更に、物品及び台紙１に図柄が施され、説明文が記載されているときは、これらを容易に視認可能であることが好ましい。このように透明性及び図柄等の視認性に優れた樹脂製外装袋１０としては、例えば、ポリエチレン、ポリプロピレン等のポリオレフィンをインフレーション成形した後、急冷して透明性を向上させた成形品等を用いてなる包装用袋が挙げられる。また、樹脂製フィルムの所要箇所を熱融着させて袋状に形成した樹脂製外装袋１０を用いることもできる。
【００５１】
更に、樹脂製外装袋１０の、特に物品が固定されている表面側には、通常、例えば、玩具花火、キャラクター、説明文等が印刷される。また、裏面側にも説明文が記載され、図柄が施されていることも多い。そのため、樹脂製外装袋１０は印刷性に優れていることが好ましく、上述の成形品等に表面処理を施し、印刷性を向上させた樹脂製外装袋１０であることがより好ましい。また、樹脂製外装袋１０の、玩具花火、キャラクター、説明文等が印刷される箇所を除く他の部分は透明のままでもよく、着色されていてもよい。但し、物品が固定されている表面側の周縁を除く部分は、物品が視認し易いように透明であることが好ましい。
【産業上の利用可能性】
【００５２】
本考案は、各種の物品を容易に固定することができる物品固定用台紙、及びこの台紙と固定された物品とを備える物品固定体の製品分野において利用することができる。特に、玩具花火、ゲーム用カード等の主として子供向けの商品などを固定し、展示、販売する用途において有用である。
【符号の説明】
【００５３】
１０１〜１１３；物品固定用台紙、２０１〜２０９；物品固定体、１；台紙、１ａ；折り曲げ部、２；切り込み線、３；物品固定用帯状部、３ａ；幅広帯状部、４１、４２；短寸法切り込み線、５１、５２；短寸法固定用帯状部、６；玩具花火、７；ゲーム用カード、８１、８２、８３；係止部、８１ａ；係止片用切り込み線、８１ｂ；折り曲げ用線、８１ｃ；切り込み部、９；開口部、９ａ；半円状の切り込み部、９１；幅広開口部、１０；樹脂製外装袋。
【図１】
0003183974.tif 000003
【図２】
0003183974.tif 000004
【図３】
0003183974.tif 000005
【図４】
0003183974.tif 000006
【図５】
0003183974.tif 000007
【図６】
0003183974.tif 000008
【図７】
0003183974.tif 000009
【図８】
0003183974.tif 000010
【図９】
0003183974.tif 000011
【図１０】
0003183974.tif 000012
【図１１】
0003183974.tif 000013
【図１２】
0003183974.tif 000014
【図１３】
0003183974.tif 000015
【図１４】
0003183974.tif 000016
【図１５】
0003183974.tif 000017
【図１６】
0003183974.tif 000018
【図１７】
0003183974.tif 000019
【図１８】
0003183974.tif 000020
【図１９】
0003183974.tif 000021
【図２０】
0003183974.tif 000022
【図２１】
0003183974.tif 000023
【図２２】
0003183974.tif 000024
【図２３】
0003183974.tif 000025
【図２４】
0003183974.tif 000026
【図２５】
0003183974.tif 000027
【図２６】
0003183974.tif 000028
【図２７】
0003183974.tif 000029
【図２８】
0003183974.tif 000030
【図２９】
0003183974.tif 000031
【図３０】
0003183974.tif 000032
【図３１】
0003183974.tif 000033
【図３２】
0003183974.tif 000034